(57)【要約】【課題】  蚊又は蝿の捕殺を知ることができる光る光の機能がある電気蚊取りラケットを提供する。【解決手段】  ラケット体２０と、電気回路３０とを含む。ラケット体２０は、握り２１を含み、握り２１の前端に網層区２２を連接し、網層区２２は最少二セットの互いに接触しない網層２２ａと網層２２ｂとを含む。電気回路３０は、握り２１の中に取り付けられ、昇圧電気回路を含む。昇圧電気回路の出力端は、個別に網層２２ａ又は網層２２ｂに連接する。電気回路３０は、発光制御電気回路を含み、発光制御電気回路は制御ＩＣを含み、複数個の発光エレメント３３２を連接している。各発光エレメント３３２が網層区２２の周囲に設置され、制御ＩＣを昇圧電気回路の二つの出力端の間が一つのクローズ回路になる時に起動させ、各発光エレメント２２１はタッチされて発光する。【選択図】    図１
0003115320.tif 000002
【実用新案登録請求の範囲】
【請求項１】
ラケット体と、電気回路とを含む光る光の機能がある電気蚊取りラケットであって、
前記ラケット体は握りを含み、前記握りの前端に網層区を連接し、前記網層区は少なくとも二セットの互いに接触しない網層を含み、
前記電気回路は前記握りの中に取り付けられ、昇圧電気回路を含み、前記昇圧電気回路の出力端は個別に前記網層区の中の一つの網層に連接し、前記電気回路は発光制御電気回路を含み、前記発光制御電気回路は制御ＩＣを含み、複数個の発光エレメントを連接して、各発光エレメントが前記ラケット体の網層区の周囲に設置され、前記制御ＩＣを昇圧電気回路の二つの出力端の間が一つのクローズ回路になる時に起動させ、各前記発光エレメントはタッチされて発光するように構成されていることを特徴とする光る光の機能がある電気蚊取りラケット。
【請求項２】
前記発光制御電気回路の各発光エレメントは、前記制御ＩＣであって、違った時間でタッチされて光り、これによって、閃かす状態になることを特徴とする請求項１記載の光る光の機能がある電気蚊取りラケット。
【請求項３】
前記ラケット体の網層区の周囲に設置されている複数の発光エレメントは、数セットに分けられていて、前記制御ＩＣを違う時間でタッチして発光させ、前記発光制御電気回路がタッチされる時、各発光エレメントはラケット体の網層区の周囲を巡って閃かせ、点滅の順序を行うことが可能に構成されていることを特徴とする請求項１記載の光る光の機能がある電気蚊取りラケット。
【請求項４】
前記発光制御電気回路の各発光エレメントは、前記制御ＩＣの同時間のタッチによって光ることを特徴とする請求項１記載の光る光の機能がある電気蚊取りラケット。
【請求項５】
前記昇圧電気回路の二つの出力端の間に生じるクローズ回路の状態は、蚊又は蝿が電撃されて殺される状況を指すことを特徴とする請求項１記載の光る光の機能がある電気蚊取りラケット。
【考案の詳細な説明】
【技術分野】
【０００１】
本考案は、一種の光る光の機能がある電気蚊取りラケットに関し、特に、該電気蚊取りラケットが蚊又は蝿を捉んだ時、電気蚊取りラケットの網層区の周囲に装置した複数の発光エレメントがタッチされて光り、使用者に蚊又は蝿を捉んだことを知らせ、並びに電気蚊取りラケットを装飾する効果があることに関するものである。
【背景技術】
【０００２】
現在の電気蚊取りラケットは、大部分が一つのラケット体と、一つの昇圧電気回路とを含み、該ラケット体はラケット体上に一つの網層区が設けられている。そして、該網層区は最少二セットの互いに接触しない網層を含んでいる。該昇圧電気回路は、電圧出力端を該網層区の中の二セットの網層と連接させ、これで、該昇圧電気回路を起動した後に、該網層区の二セットの網層間に一つの高電圧状態を形成することができるため、電撃を提供して捕捉した蚊又は蝿を殺す。
【０００３】
上記の周知の電気蚊取りラケットは、使用者が該ラケットを振り動かして蚊又は蝿を捕殺する時、昇圧電気回路が瞬間のショートで火花現象と響きを生じる。但し、比較的大きい蚊又は蝿が電撃される瞬間に生じる響きは、比較的大きい。使用者は、当然、この響きによって蚊又は蝿が撃殺されたことを知ることができる。しかし、撃殺された蚊又は蝿が比較的小さい時、その響きも相対的に比較的小さい。背景の響きが比較的大きい時は、使用者は蚊又は蝿が撃殺されているかを知ることができない。これは、周知の電気蚊取りラケットの使用上で遭遇する欠点である。
【考案の開示】
【考案が解決しようとする課題】
【０００４】
しかしながら、上記のような従来技術では、電気蚊取りラケットが蚊又は蝿を昇圧電気回路の瞬間のショートで撃殺する時に生じる火花現象と響きは、蚊又は蝿の大きさと背景の声の大きさの影響を受けて、使用者は蚊又は蝿が捕殺されているかを知ることができない欠点がある。
【課題を解決するための手段】
【０００５】
本考案は、上記の点を解決するためになされたものであり、一種の光る光の機能がある電気蚊取りラケットを提供する。該光る光の機能がある電気蚊取りラケットは、一つのラケット体と、一つの電気回路とを含む。該ラケット体は、一本の握りを含んでいて、該握りの前端は一つの網層区と連接する。該網層区は、最少二セットの網層を含んでいる。該電気回路は、該握りの中に装置されていて、一つの昇圧電気回路を含む。そして、該昇圧電気回路の二つの出力端を個別に該網層区の中の一つの網層に連結する。その特徴は、該電気回路は、一歩進んで発光制御電気回路を含む。該発光制御電気回路は一つの制御ＩＣがあって、複数個の発光エレメントを連接し、並びに各発光エレメントが該ラケット体の網層区の周囲に設けられ、該昇圧電気回路を起動する時、並びに網層区の両網層間は蚊又は蝿を撃殺する時に生じるクローズ回路状態で、該制御ＩＣをタッチして起動し、各該発光エレメントをタッチして光らせることを形成することを含む。
【考案を実施するための最良の形態】
【０００６】
以下、図面に従って本考案の実施の形態を説明する。
図１及び図２を参照する。本考案の一実施例による光る光の機能がある電気蚊取りラケットは、下記のものを含む。一つのラケット体２０は、一本の握り２１を含む。該握り２１の前端に一つの網層区２２を連接し、該網層区２２は最少二セットの互いに接触しない網層２２ａと網層２２ｂで組成される。一つの電気回路３０は、該握り２１の中に取り付けられていて、一つの電池電源３１と昇圧電気回路３２を含んでいて、該昇圧電気回路３２の出力端３２ａと出力端３２ｂは個別に該網層区２２の中の一つの網層２２ａ或いは網層２２ｂに連結している。その特徴は、該電気回路３０は一歩進んで一つの発光制御電気回路３３を含む。該発光制御電気回路３３は一つの制御ＩＣ３３１を含んでいて、複数個の発光エレメント３３２を連結し、且つ各該発光エレメント３３２はラケット体２０の網層区２２の周囲に装置されていて、該昇圧電気回路３２を起動して、並びに網層区２２の二つの違った網層２２ａの間にクローズ回路を生じる（即ち、蚊又は蝿を捕捉した）時、該制御ＩＣ３３１を起動して、各該発光エレメント３３２をタッチして光らせる。このように、複数個の各発光エレメント３２２がタッチされて光ることによって、使用者に蚊又は蝿をスムースに捕殺したことを知らせる。
【０００７】
本実施例の光る光の機能がある電気蚊取りラケットの該電気回路３０は、下記のものを含む。電池電源３１は、一つのスイッチ３１１を直列連結する。一つの昇圧電気回路３２は、該電池電源３１と連接して、該スイッチ３１１がＯＮのクローズ回路の位置にされる時、該昇圧電気回路３２を起動して、該昇圧電気回路３２の二つの出力端３２ａと出力端３２ｂの間に一つの高電圧を形成させる。一つの発光制御電気回路３３は、該電池電源３１と連接し、一つの制御ＩＣ３３１を含む。該制御ＩＣ３３１は複数個の発光エレメント３３２を連接して、各該発光エレメント３３２は該ラケット体２０の網層区２２の周囲に装置されていて、尚且つ該制御ＩＣ３３１は、昇圧電気回路３２の二つの出力端３２ａと出力端３２ｂの間が一つのクローズ回路になる（即ち、蚊又は蝿を捕捉した）時、一つの電圧値を出力する時に起動して、各該発光エレメント３３２をタッチして光らせる。
【０００８】
上記で述べた電気蚊取りラケットの昇圧電気回路３２は、一般的に、周知の電気蚊取りラケットに応用されている。又、本考案の実用新案申請の標的でないので、その説明を省略する。本実施例も又その他の昇圧電気回路を応用することができる。
【０００９】
本実施例の光る光の機能がある蚊取りラケットの主な特徴は、該電気回路３０の中は一つの発光制御電気回路３３を含んでいる。使用者がスイッチ３１１をＯＮの位置に切替える時には、昇圧電気回路３２が起動し、並びにラケット体の網層区２２の中に蚊又は蝿を捕捉する時は、皆生じる電圧の波動によって電気トランジスター体Ｑ１を導通させて、制御ＩＣ３３１をタッチさせ、複数個の発光エレメント３３２を光らせる。つまり、使用者が蚊又は蝿を捕捉する時、ラケット体２０の網層区２２の周囲の発光エレメント３３２はタッチされて光る。使用者は、只各発光エレメント３３２が光っているのを見るだけで、蚊又は蝿がスムースに捕捉されたことを表すのである。これは、本実施例の新規性と実用性を示している。本実施例の光る光の機能がある電気蚊取りラケットのラケット体２０の網層区２２の周囲に装置されている複数の発光エレメント３３２は、発光ダイオードから形成することができる。並びに各該発光エレメント３３２を数セットに分けて、該制御ＩＣ３３１が違った時間でタッチして光らせることができる。即ち、該発光制御電気回路３３をタッチする時、各発光エレメント３３２はラケット体の網層区２２の周囲を巡って閃かせ、点滅することができる。しかし、本実施例は、各発光エレメント３３２の光らせる方式を制限しない。例えば、各発光エレメント３３２は、乱数閃き、同時の閃き或いは同時につけ光ることができる。
【００１０】
本実施例は、上記で述べたように、下記の特徴と伏点がある。
１．電気蚊取りラケットのラケット体の網層区の周囲に多数の発光エレメントが装設されている。
【００１１】
２．使用者が蚊又は蝿を捕捉する時、各該発光エレメントはタッチされて光るため、使用者にスムースに蚊又は蝿を捕捉したこと知らせる機能がある。
３．電気蚊取りラケットの知らせる機能を増加しているので、新規性を増す他にも、商品の市場の競争力を高めることができる。
【００１２】
もしも、本考案の構想及び形状を一部変更した後に生じる効果、作用が本明細書と図面を含む範囲である場合は、すべて本考案の範囲に属することは当然であることを付け加えて強調する。
【図面の簡単な説明】
【００１３】
【図１】本考案の一実施例による光る光の機能がある電気蚊取りラケットを示す外観図である。
【図２】本考案の一実施例による光る光の機能がある電気蚊取りラケットを示す電気回路図である。
【符号の説明】
【００１４】
２０  ラケット体、２１  握り、２２  網層区、２２ａ  網層、２２ｂ  網層、３０  電気回路、３１  電池電源、３２  昇圧電気回路、３２ａ  出力端、３２ｂ  出力端、３３  発光制御電気回路、３１１  スイッチ、３３１  制御ＩＣ、３３２  発光エレメント
【図１】
0003115320.tif 000003
【図２】
0003115320.tif 000004